(57)【要約】【課題】本来のポアントシューズに備わる板状の靴底に、足の親指と人差し指に挟む指間挟着具を取り付ける穴をあけ、サテンリボンで包んだ装具を、靴底裏の穴から通して、鼻緒状の突起を作り、体重による足の詰まりを防ぎ、バレリーナがバレエ技術を習得する際に強く感じるポアント内部における肉体的苦痛を軽減するとともに、バレエ技術の促進及び、バレエシューズの耐性を強化する。【解決手段】本発明の指間挟着リボンを取り付けるセパレイトポアントシューズによる。【選択図】  図５
2008173209.tif 000002
【特許請求の範囲】
【請求項１】
ポアントシューズの中敷部材に、足の親指と人差し指とのあいだに挟む鼻緒状の指間挟着リボンを突設する事により、バレリーナの全体重がつま先にかける負担を軽減し、バレリーナが爪先立ちする際の足の甲を出しやすくすると共に、シューズの寿命を延長するポアントシューズ。
【発明の詳細な説明】
【技術分野】
【０００１】
本発明は、バレリーナの足の痛みを軽減するポアントシューズに関するものである。
【背景技術】
【０００２】
従来のポアントシューズは、バレリーナの全体重を乗せるのに耐えられる様に硬い材料で形成されており、現在市販されている靴は多くの人の足に適合するよう、各サイズに複数の甲囲がＪＩＳで定められている。使用者はこの中から自分の足に合った靴を使用しているが、自分の足にしっくりと適合し履きやすい靴を得ることは困難であるうえ、バレリーナのつま先がポアントシューズの硬いつま先部分にあたり押し付けられるため、ラムウール、スポンジ、ジェル素材などのパッドを入れる、ストッキングでつま先をおおうなど、して足を保護するさまざまな工夫を凝らすが、この程度の対策では殆んど効果はなく、多数のまめ、水ぶくれ、爪が割れるなど、バレリーナは常に足のトラブル、苦痛、不安をかかえている。しかも、上記のように入手した現状で入手可能なポアントシューズは、心地よく使いやすい状態を保ち続けることはできず、時に１度の公演でしか使えないものといえるのである。そして、人間の骨は生まれてから大人になるまで少しずつ成長し硬さも形状も変化してゆくものである。一般に硬い骨の完成は１０歳から１２歳ごろに固まり始め、女性の場合、生理が始まってから２〜３年たった頃とされている。子供の骨はまだ柔らかく、鼻や耳のような軟骨であり、柔らかい骨は外部から強い力が加わると変形し、バレエを続けられなくなる可能性がある。しかしながら、ポアントシューズをはき始める時期は現在各教室の講師にゆだねられており、通常では２年間バレエシューズでレッスンをつんだ後、小学校４年生くらいから、早い教室では小学校１年生でポアントシューズを履くこととなっている。また、例外中の例外ではあるが、４歳の子どもに履かせている教室もある。このことは、個人運営のバレエスクールが生徒数を確保するため年々早まってゆく傾向にある。このような現状はバレエを志す子供たちの柔らかい骨の成長に著しい悪影響を及ぼしていた。また、大人のバレリーナにおいても足の苦痛は体重が多い分さらに耐えがたいものとなっている。さらに、踊りの最中においても従来のポアントシューズは靴の中でつま先が詰まりすぎるため、安定しない、踏ん張りが利かない、床を感じにくい、疲労しやすい、足がつるなど多くの問題が発生し更には、踊りの最中にリボンを解けないようにするためにサテンリボンをきつく締めるなどして、新たな問題が発生していた。
【０００３】
この改善策として、従来のポアントシューズの中敷部材に鼻緒状の指間挟着リボンを取り付ける事により、バレリーナの足の痛みと負担を軽減する事となる。
【発明の開示】
【発明が解決しようとする課題】
【０００４】
解決しようとする問題点は、常に過酷な状態にさらされているバレリーナのつま先及び足の肉体が感ずる苦痛を低減する事によるバレエ技法の習得の促進と、ポアントシューズの寿命を延ばすことである。
【課題を解決するための手段】
【０００５】
本発明は、従来のポアントシューズの中敷部材に、足の親指と人差し指とのあいだに挟む指間挟着リボンを突設する事により、バレリーナの足にまつわる痛みや不安を解決する。同時にそれは、バレリーナの足裏と中敷部材を密着させ、バレリーナがつま先で立つ際に体の支えとする足の甲を出し、足裏のアーチをささえる補助となる。また、本来ポアントシューズの一番破損しやすい土踏まずの部分から、足の腹部分に負担を移すことにより、使用可能日数をどの程度ならと明確でないにせよ、著しく延長させることができる。
【発明の効果】
【０００６】
本件出願のセパレイトポアントシューズは、次のような効果がある。
１  バレリーナの足にかかる苦痛、負担を低減できる。
２  体重によって靴の中で足先が詰まる事がないため、足の腹でしっかりと床を感じ取る事ができ、次の動きに対応しやすくなる。
３  足の骨の成長を妨げないため、比較的低年齢の学童でも体重の軽いうちにポアントシューズをはくことができる。
４  バレリーナがポアントで立つ際、土踏まずのアーチを支え甲をきれいに出すことができる。
５  比較的少ないコストによって、個々のバレリーナの要望に沿った注文制作シューズの提供が可能。
６  ポアントシューズの寿命を延長することができる。
【発明を実施するための最良の形態】
【０００７】
本発明の靴用部材の実施形態を図１〜図５に基づいて説明する。本発明のポアントシューズは、ポアントシューズ製作の従来の公知方法で、また従来の公知材料で製作されたものに指間挟着リボンを装着するものとする。
【０００８】
（図１）は、通常のポアントシューズを示す断面図である。
【０００９】
従来ポアントシューズは、剛性の板たとえば金属、カードボード、木、樹脂などでできた中敷（図１）Ａ１を、革製の靴底部材（図１）Ａ２と、薄い布（図１）Ａ３で挟む状態で構成され、接着、釘止め、縫合などによって製作されている。板状の中敷部材を取り出し指間挟着リボンを通す穴を開け（図２）Ａ３、指間リボン（図２）Ｂ１で（図２）Ｃを包み、中敷の穴の下から上に出し芯を巻き鼻緒を作る（図３）上に残ったリボンは中敷の裏でクロスさせ（図４）、シューズに中敷を収める際、サテンリボン取り付け位置に出す（図５）。接着、釘止め、縫合により靴底と一体に取り付け、完成とする。（図６）
【産業上の利用可能性】
【００１０】
本発明は、上記のように構成したので、日本のバレエ界において、肉体が感ずる苦痛を低減し、バレエ技法の習得を促進し、ポアントシューズの強度を高めるものとなる。
【図面の簡単な説明】
【００１１】
【図１】通常のポアントシューズを示す断面図である。
【図２】本発明が新たに加工し取り付ける部材３点の平面図である。
【図３】本発明が新たに取り付ける部材３点の組み立て状態を示す平面図ならびに断面図である。
【図４】新たに組み立てた中敷部材をシューズに収める際の、中敷部材サテンリボンの状態の説明図である。
【図５】新たに組み立てた中敷部材を収めたポアントシューズの断面図である。
【図６】完成図である。
【符号の説明】
【００１２】
Ａ１  中敷部材
Ａ２  靴底部材
Ａ３  薄い布
Ｂ１  指間挟着リボン
Ｃ    指間挟着リボン芯
【図１】
2008173209.tif 000003
【図２】
2008173209.tif 000004
【図３】
2008173209.tif 000005
【図４】
2008173209.tif 000006
【図５】
2008173209.tif 000007
【図６】
2008173209.tif 000008
【手続補正書】
【提出日】平成19年5月21日(2007.5.21)
【手続補正１】
【補正対象書類名】特許請求の範囲
【補正対象項目名】請求項１
【補正方法】変更
【補正の内容】
【請求項１】
ポアントシューズの中敷部材に、足の親指と人差し指とのあいだに挟む鼻緒状の指間挟着リボン芯を突設する事により、シューズ内の足のつまりを防ぎポアント時の痛み、苦痛を軽減する。更に指間挟着片にサテンリボンで作られる指間挟着リボンを巻きつけ、中敷の裏をクロスしてから足首を固定する事により、かかとが脱げにくく、バレリーナの全体重がつま先にかける負担を軽減し、爪先立ちする際の足の甲を出しやすくすると同時に、挟着リボン芯による補強効果により、シューズの一番負担がかかり破損しやすい土踏まずから足の腹部分に負担を移し、シューズの寿命を延長するポアントシューズ。
【手続補正２】
【補正対象書類名】明細書
【補正対象項目名】０００２
【補正方法】変更
【補正の内容】
【０００２】
従来のポアントシューズは、バレリーナの全体重を乗せるのに耐えられる様に硬い材料で形成されており、現在市販されている靴は多くの人の足に適合するよう、各サイズに複数の甲囲がＪＩＳで定められている。使用者はこの中から自分の足に合った靴を使用しているが、自分の足にしっくりと適合し履きやすい靴を得ることは困難であるうえ、バレリーナのつま先がポアントシューズの硬いつま先部分にあたり押し付けられるため、ラムウール、スポンジ、ジェル素材などのパッドを入れる、ストッキングでつま先をおおうなど、して足を保護するさまざまな工夫を凝らすが、この程度の対策では殆んど効果はなく、多数のまめ、水ぶくれ、爪が割れるなど、バレリーナは常に足のトラブル、苦痛、不安をかかえている。しかも、上記のように入手した現状で入手可能なポアントシューズは、心地よく使いやすい状態を保ち続けることはできず、時に１度の公演でしか使えないものといえるのである。そして、人間の骨は生まれてから大人になるまで少しずつ成長し硬さも形状も変化してゆくものである。一般に硬い骨の完成は１０歳から１２歳ごろに固まり始め、女性の場合、生理が始まってから２〜３年たった頃とされている。子供の骨はまだ柔らかく、鼻や耳のような軟骨であり、柔らかい骨は外部から強い力が加わると変形し、バレエを続けられなくなる可能性がある。しかしながら、ポアントシューズをはき始める時期は現在各教室の講師にゆだねられており、通常では２年間バレエシューズでレッスンをつんだ後、小学校４年生くらいから、早い教室では小学校１年生でポアントシューズを履くこととなっている。また、例外中の例外ではあるが、４歳の子どもに履かせている教室もある。このことは、個人運営のバレエスクールが生徒数を確保するため年々早まってゆく傾向にある。このような現状はバレエを志す子供たちの柔らかい骨の成長に著しい悪影響を及ぼしていた。また、十分鍛錬を積んだ大人のバレリーナにおいても足の苦痛は体重が多い分さらに耐えがたいものとなっている。足の不調を抱える多くのバレリーナは従来のポアントシューズを使い続ける事により、回復が遅れ、さらに悪化し、慢性化することもまれではなく、技術向上のための練習量を大幅に制限せざるを得ない。足の不調による練習量の限界は、バレエを志すものにとって本意ではないにしろ、痛みをこらえながらの無理な練習は、良くない癖をつけ、怪我をする危険もあり、バレエ界に大きな損失をもたらすものである。さらに、踊りの最中においても従来のポアントシューズは靴の中でつま先が詰まりすぎるため、安定しない、踏ん張りが利かない、床を感じにくい、疲労しやすい、足がつるなど多くの問題が発生し、更には踊りの最中にリボンを解けないようにするためにサテンリボンをきつく締めるなどして、新たな問題が発生していた。
【手続補正３】
【補正対象書類名】明細書
【補正対象項目名】０００４
【補正方法】変更
【補正の内容】
【０００４】
解決しようとする課題は、中敷に指間挟着片と指間挟着リボンを取り付ける事により、常に過酷な状態にさらされているバレリーナのつま先及び足の肉体が感ずる苦痛を低減する事によるバレエ技法の習得の促進と、ポアントシューズの寿命を延ばすことである。また、指間挟着リボンで中敷と足裏を直接結びつける事により、踊りの最中にリボンがほどけたり、かかとがぬげたりする問題を解決し、従来のポアントシューズ以外のシューズにも内包でき、ポアント立ちできる指間挟着片及び指間挟着リボンを取り付けた中敷の考案。
【手続補正４】
【補正対象書類名】明細書
【補正対象項目名】０００５
【補正方法】変更
【補正の内容】
【０００５】
本発明は、従来のポアントシューズの中敷部材に、足の親指と人差し指とのあいだに挟む指間挟着リボン芯を突設し、サテンリボンで作られる指間挟着リボンを巻きつけ、中敷の裏をクロスしてから足首に巻き、結びつける事により、従来のポアントシューズよりもしっかりと足とシューズを固定し、かかとを脱げにくくする。また、足の親指と人差し指の間に挟まれる指間挟着芯及び足の甲を覆う指間挟着リボンはバレリーナの全体重がつま先にかける負担を軽減し、足にまつわる痛みや不安を解消する。同時にそれは、バレリーナの足裏と中敷部材を密着させ、バレリーナがつま先で立つ際に体の支えとする足の甲を出し、足裏のアーチをささえる補助となる。また、指間挟着リボン芯に体重が乗ることにより、本来ポアントシューズの一番破損しやすい土踏まずの部分から、足の腹部分に負担を移すこととなり、使用可能日数をどの程度ならと明確でないにせよ、著しく延長させる。
【手続補正５】
【補正対象書類名】明細書
【補正対象項目名】０００６
【補正方法】変更
【補正の内容】
【０００６】
本件出願のセパレイトポアントシューズは、次のような効果がある。
１  指間挟着リボン芯と足の甲にかかる指間挟着リボンにより、バレリーナの足にかかる苦痛、負担を低減できる。
２  体重によって靴の中で足先が詰まる事がないため、足の腹でしっかりと床を感じ取る事ができ、次の動きに対応しやすくなる。
３  足の骨の成長を妨げないため、比較的低年齢の学童でも体重の軽いうちにポアントシューズをはくことができる。
４  バレリーナがポアントで立つ際、土踏まずのアーチを支え、甲をきれいに出すことができる。
５  比較的少ないコストによって、個々のバレリーナの要望に沿った注文制作シューズの提供が可能。
６  指間挟着リボン芯により、破損しやすい土踏まず部分から足の腹部分に負担を移すことができ、ポアントシューズの寿命を延長することができる。
７  指間挟着リボンを中敷の下でクロスさせることにより、足裏と中敷を密着させることができ、踊りの最中にかかとが外れにくく、リボンも解けづらい。
８  シューズに収めずともポアントで立つことができ、またどのようなシューズにも内包可能であるため、女性クラシックバレエダンサーのみならず、モダンバレエ、男性バレエダンサーの使用も可能となる。
【手続補正６】
【補正対象書類名】明細書
【補正対象項目名】０００７
【補正方法】変更
【補正の内容】
【０００７】
本発明の靴用部材の実施形態を図１〜図５に基づいて説明する。本発明のポアントシューズは、ポアントシューズ製作の従来の公知方法で、また従来の公知材料で製作されたものに指間挟着片と指間挟着リボンを装着するものとする。
【手続補正７】
【補正対象書類名】明細書
【補正対象項目名】００１０
【補正方法】変更
【補正の内容】
【００１０】
本発明は、上記のように構成したので、日本のバレエ界において、肉体が感ずる苦痛を低減し、バレエ技法の習得を促進し、ポアントシューズの強度を高めるものとなる。また、剛性の中敷に本発明の指間挟着片及びリボンを装着することで、ポアントシューズ内に納めずともポアント可能であり、また、従来のポアントシューズ以外にも内包可能である為、モダンバレエ、男性ダンサーの新たな表現の可能性として、利用できる。
【手続補正書】
【提出日】平成19年7月17日(2007.7.17)
【手続補正１】
【補正対象書類名】特許請求の範囲
【補正対象項目名】請求項１
【補正方法】変更
【補正の内容】
【請求項１】
板状の中敷部材を備えたポアントシューズにおいて、中敷部材に穴を開け、足の親指と人
指し指とのあいだに挟む鼻緒状の指間挟着リボン芯にサテンリボンで作られる指間挟着リ
ボンを巻きつけて前記穴に装着し、上に残ったリボンを中敷の裏でクロスしてから足首を固定できるように取り付け位置にだしたことを特徴とするポアントシューズ。